(57)【要約】【課題】受け手にコンテンツを出力してもらうためのコンテンツ出力システム、端末、プログラム、サーバ、およびコンテンツ出力装置等を提供する。【解決手段】コンテンツ出力システム１はコンテンツの送り手および受け手のユーザ端末２、５、サーバ３、コンテンツ出力装置４等を有する。コンテンツの送り手のユーザ端末２はコンテンツをサーバ３に送信し、サーバ３は、ユーザ端末２からコンテンツを受信すると、コンテンツに対応する予約キー等をユーザ端末２に送信する。ユーザ端末２は予約キー等をメールによってユーザ端末５に送信し、コンテンツの受け手はコンテンツ出力装置４に予約キー等を入力する。コンテンツ出力装置４は予約キー等の入力に応じて、予約キーに対応するコンテンツをサーバ３から受信してコンテンツの出力を行う。【選択図】図１
2019012487.tif 000002
【特許請求の範囲】
【請求項１】
第１、第２の端末と、サーバと、コンテンツ出力装置とを有するコンテンツ出力システムであって、
前記第１の端末は、
コンテンツを前記サーバに送信する第１の送信手段を有し、
前記サーバは、
前記第１の端末から前記コンテンツを受信すると、前記コンテンツに対応するキー情報を送信する第１の送信手段と、
前記コンテンツ出力装置での前記キー情報の入力に応じて、前記キー情報に対応する前記コンテンツを前記コンテンツ出力装置に送信する第２の送信手段と、を有し、
前記第２の端末は、
前記キー情報を受信する受信手段を有し、
前記コンテンツ出力装置は、
前記キー情報の入力に応じて前記コンテンツを前記サーバから受信する受信手段と、
前記コンテンツの出力を行う出力手段と、を有する
ことを特徴とするコンテンツ出力システム。
【請求項２】
前記サーバの前記第１の送信手段は、前記キー情報を前記第１の端末に送信し、
前記第１の端末は、
前記キー情報を受信する受信手段と、
前記キー情報を前記第２の端末に送信する第２の送信手段と、
を有することを特徴とする請求項１記載のコンテンツ出力システム。
【請求項３】
前記コンテンツ出力装置は、
前記コンテンツの編集を受付ける受付手段を有することを特徴とする請求項１または請求項２に記載のコンテンツ出力システム。
【請求項４】
前記コンテンツ出力装置の出力手段は、前記コンテンツをプリントにより出力することを特徴とする請求項１から請求項３のいずれかに記載のコンテンツ出力システム。
【請求項５】
前記コンテンツ出力装置の出力手段は、前記コンテンツを再生することにより出力するものであることを特徴とする請求項１から請求項３のいずれかに記載のコンテンツ出力システム。
【請求項６】
前記第２の端末は、
複数の前記キー情報を統合したキー情報を作成する作成手段を有することを特徴とする請求項１から請求項５のいずれかに記載のコンテンツ出力システム。
【請求項７】
コンテンツに対応し且つ別の端末で受信させるためのキー情報をサーバから送信させるべく、前記コンテンツを前記サーバに送信する第１の送信手段を有し、
前記キー情報は、コンテンツ出力装置で前記コンテンツを出力する際に、前記コンテンツ出力装置に入力するものであることを特徴とする端末。
【請求項８】
前記キー情報を受信する受信手段と、
前記キー情報を前記別の端末に送信する第２の送信手段と、
を更に有することを特徴とする請求項７記載の端末。
【請求項９】
コンピュータ端末を、
コンテンツに対応し且つ別の端末で受信させるためのキー情報をサーバから送信させるべく、前記コンテンツを前記サーバに送信する第１の送信手段として機能させ、
前記キー情報は、コンテンツ出力装置で前記コンテンツを出力する際に、前記コンテンツ出力装置に入力するものであることを特徴とするプログラム。
【請求項１０】
前記コンピュータ端末を、
前記キー情報を受信する受信手段と、
前記キー情報を前記別の端末に送信する第２の送信手段と、
して更に機能させるための請求項９記載のプログラム。
【請求項１１】
第１の端末からコンテンツを受信すると、前記コンテンツに対応し且つ第２の端末で受信させるためのキー情報を送信する第１の送信手段と、
コンテンツ出力装置での前記キー情報の入力に応じて、前記キー情報に対応する前記コンテンツを前記コンテンツ出力装置に送信する第２の送信手段と、
を有することを特徴とするサーバ。
【請求項１２】
キー情報の入力に応じて、前記キー情報に対応し且つ第１の端末からサーバに送信されたコンテンツを前記サーバから受信する受信手段と、
前記コンテンツの出力を行う出力手段と、
を有し、
前記キー情報は、第２の端末で受信されたものであることを特徴とするコンテンツ出力装置。
【発明の詳細な説明】
【技術分野】
【０００１】
本発明は、コンテンツ出力システム、端末、プログラム、サーバ、およびコンテンツ出力装置に関する。
【背景技術】
【０００２】
例えば年賀状や結婚式のメッセージカードなど、遠方の知り合いに気持ちを伝えるため画像やテキストなどのコンテンツを送りたいといったシーンは生活の中で多々存在する。
【０００３】
こうしたケースでは画像やテキストをプリント等した葉書やカードを郵送することも多いが、送料の負担が必要であり、また転居等の理由により受け手の住所等が分からないと送ることができない。
【０００４】
この点、現在では年賀状等をメールで送信するケースも増えているが、一度に多くのコンテンツが送られると受け手の端末の容量を圧迫する問題があり、またコンテンツをプリントなど何らかの形で出力しておきたい場合に、受け手がプリンタなどを持っていないとこれを出力するのが面倒になる。
【０００５】
一方、ユーザの端末等からサーバ等に送信された画像やテキストをプリンタにてプリントする技術は種々提案されており（例えば特許文献１−３）、このような技術によって上記の問題を解決できる可能性がある。
【先行技術文献】
【特許文献】
【０００６】
【特許文献１】特開2017-5590号公報
【特許文献２】特許第5897721号
【特許文献３】特許第4368590号
【発明の概要】
【発明が解決しようとする課題】
【０００７】
ただし、上記の技術は基本的にはユーザが撮影した画像等を自身のためにプリントするものであり、前記したように他人（コンテンツの受け手）に出力してもらうものとは異なる。そのため、このようなケースでは異なる仕組みが必要になる。
【０００８】
本発明は上記の問題に鑑みてなされたものであり、受け手にコンテンツを出力してもらうためのコンテンツ出力システム、端末、プログラム、サーバ、およびコンテンツ出力装置等を提供することを目的とする。
【課題を解決するための手段】
【０００９】
前述した課題を解決するための第１の発明は、第１、第２の端末と、サーバと、コンテンツ出力装置とを有するコンテンツ出力システムであって、前記第１の端末は、コンテンツを前記サーバに送信する第１の送信手段を有し、前記サーバは、前記第１の端末から前記コンテンツを受信すると、前記コンテンツに対応するキー情報を送信する第１の送信手段と、前記コンテンツ出力装置での前記キー情報の入力に応じて、前記キー情報に対応する前記コンテンツを前記コンテンツ出力装置に送信する第２の送信手段と、を有し、前記第２の端末は、前記キー情報を受信する受信手段を有し、前記コンテンツ出力装置は、前記キー情報の入力に応じて前記コンテンツを前記サーバから受信する受信手段と、前記コンテンツの出力を行う出力手段と、を有することを特徴とするコンテンツ出力システムである。
【００１０】
本発明によれば、コンテンツの送り手は、コンテンツの受け手がコンテンツ出力装置でコンテンツを出力するに際しサーバからコンテンツ出力装置にコンテンツを送信させるべく、予めサーバにコンテンツのアップロード（コンテンツの送信予約）をしておく。サーバはコンテンツの送信予約がされるとコンテンツに対応するキー情報を生成する。このキー情報は受け手の端末において適当なタイミングで受信され、コンテンツ出力装置でコンテンツを出力する際に入力される。これにより、本発明では、送り手から受け手にコンテンツを送り、これを受け手側で出力してもらう好適な仕組みを提供できる。
【００１１】
前記サーバの前記第１の送信手段は、前記キー情報を前記第１の端末に送信し、前記第１の端末は、前記キー情報を受信する受信手段と、前記キー情報を前記第２の端末に送信する第２の送信手段と、を有することが望ましい。
このように、本発明ではコンテンツの送信予約に応じて送り手の端末にキー情報を送信し、適当なタイミングで送り手の端末から受け手の端末へとキー情報を送信することができる。
【００１２】
前記コンテンツ出力装置は、前記コンテンツの編集を受付ける受付手段を有することが望ましい。
これにより、受け手は、コンテンツ出力装置にて画像やテキストなどのコンテンツを編集した形で出力できるようになる。
【００１３】
前記コンテンツ出力装置の出力手段は、例えば前記コンテンツをプリントにより出力する。あるいは、前記コンテンツを再生することにより出力してもよい。
このように、本発明では送り手から送られたコンテンツをプリントによって形に残したり、モニター等で再生して楽しんだりできる。
【００１４】
前記第２の端末は、複数の前記キー情報を統合したキー情報を作成する作成手段を有することが望ましい。
年賀状などでは、受け手側が、多数の送り手のコンテンツに係る多数のキー情報を同じタイミングで受信するようなケースが考えられるが、このようなケースではこれらのキー情報を統合したキー情報を作成し、これを用いることで、個々のキー情報をコンテンツ出力装置に入力する必要を無くすことができる。
【００１５】
第２の発明は、コンテンツに対応し且つ別の端末で受信させるためのキー情報をサーバから送信させるべく、前記コンテンツを前記サーバに送信する第１の送信手段を有し、前記キー情報は、コンテンツ出力装置で前記コンテンツを出力する際に、前記コンテンツ出力装置に入力するものであることを特徴とする端末である。
前記端末は、前記キー情報を受信する受信手段と、前記キー情報を前記別の端末に送信する第２の送信手段と、を更に有することが望ましい。
【００１６】
第３の発明は、コンピュータ端末を、コンテンツに対応し且つ別の端末で受信させるためのキー情報をサーバから送信させるべく、前記コンテンツを前記サーバに送信する第１の送信手段として機能させ、前記キー情報は、コンテンツ出力装置で前記コンテンツを出力する際に、前記コンテンツ出力装置に入力するものであることを特徴とするプログラムである。
前記プログラムは、前記コンピュータ端末を、前記キー情報を受信する受信手段と、前記キー情報を前記別の端末に送信する第２の送信手段と、して更に機能させることが望ましい。
【００１７】
第４の発明は、第１の端末からコンテンツを受信すると、前記コンテンツに対応し且つ第２の端末で受信させるためのキー情報を送信する第１の送信手段と、コンテンツ出力装置での前記キー情報の入力に応じて、前記キー情報に対応する前記コンテンツを前記コンテンツ出力装置に送信する第２の送信手段と、を有することを特徴とするサーバである。
【００１８】
第５の発明は、キー情報の入力に応じて、前記キー情報に対応し且つ第１の端末からサーバに送信されたコンテンツを前記サーバから受信する受信手段と、前記コンテンツの出力を行う出力手段と、を有し、前記キー情報は、第２の端末で受信されたものであることを特徴とするコンテンツ出力装置である。
【発明の効果】
【００１９】
本発明により、受け手にコンテンツを出力してもらうためのコンテンツ出力システム、端末、プログラム、サーバ、およびコンテンツ出力装置等を提供することができる。
【図面の簡単な説明】
【００２０】
【図１】コンテンツ出力システム１を示す図。
【図２】ユーザ端末２のハードウェア構成の例を示す図。
【図３】サーバ３のハードウェア構成の例を示す図。
【図４】コンテンツ出力装置４のハードウェア構成の例を示す図。
【図５】コンテンツ出力装置４の外観を示す図。
【図６】コンテンツの送信予約に係る処理を示すフローチャート。
【図７】コンテンツ送信画面と予約キー表示画面の例。
【図８】コンテンツの出力に係る処理を示すフローチャート。
【図９】予約キー入力画面の例。
【図１０】注文画面と編集画面の例。
【図１１】コンテンツ出力システム１ａを示す図。
【図１２】コンテンツ出力装置７のハードウェア構成の例を示す図。
【図１３】モニター８の表示画面の例。
【発明を実施するための形態】
【００２１】
以下、図面に基づいて本発明の好適な実施形態について詳細に説明する。
【００２２】
［第１の実施形態］
（１．コンテンツ出力システム１）
図１は本発明の第１の実施形態に係るコンテンツ出力システム１を示す図である。図１に示すように、本実施形態のコンテンツ出力システム１は、ユーザ端末２、５、サーバ３、およびコンテンツ出力装置４がネットワーク６を介して通信可能に接続された構成を有する。
【００２３】
ユーザ端末２（第１の端末）はコンテンツの送り手のコンピュータ端末であり、例えばスマートフォン、タブレット端末、パーソナルコンピュータなどを用いることができる。
【００２４】
図２はユーザ端末２のハードウェア構成の例を示す図である。図２に示すように、例えばユーザ端末２は、制御部２１、記憶部２２、表示部２３、入力部２４、音声入出力部２５、通信制御部２６などをバス等を介して接続して構成される。但しユーザ端末２はこれに限ることなく、適宜様々な構成をとることができる。
【００２５】
制御部２１は、CPU、ROM、RAMなどから構成される。CPUは、記憶部２２、ROMなどの記憶媒体に格納されたユーザ端末２の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２、ROMなどからロードしたプログラムやデータを一時的に保持するとともに、制御部２１が各種処理を行うために使用するワークエリアを備える
【００２６】
記憶部２２は例えばフラッシュメモリ等であり、制御部２１が実行するプログラム、プログラム実行に必要なデータ、OSなどが格納される。これらのプログラムやデータは、制御部２１により必要に応じて読み出され実行される。本実施形態では、後述する処理をユーザ端末２に実行させるためのアプリケーションプログラムや、受け手のアドレス等が記憶部２２に格納されている。
【００２７】
表示部２３は、液晶パネルなどのディスプレイ装置を有する。
入力部２４は、ユーザ端末２に対し操作指示、データ入力等を行うものであり、例えば表示部２３のディスプレイ装置に設けられたタッチパネルなどである。
【００２８】
音声入出力部２５は、マイク、スピーカなどを有する。音声入出力部２５は、ユーザ端末２の外部から音声データを入力したり、音声データを出力したりすることができる。
通信制御部２６は、ネットワーク等を介した通信を行うためのインタフェース等によって構成される。
【００２９】
サーバ３は、ユーザ端末２からコンテンツを受信し、コンテンツを管理するサーバである。
【００３０】
図３は、サーバ３のハードウェア構成の例を示す図である。図３に示すように、サーバ３は、例えば制御部３１、記憶部３２、表示部３３、入力部３４、通信制御部３５等をバス等により接続して構成したコンピュータにより実現できる。但しこれに限ることなく、適宜様々な構成をとることができる。
【００３１】
制御部３１、記憶部３２、表示部３３、入力部３４、通信制御部３５の機能は前記した制御部２１、記憶部２２、表示部２３、入力部２４、通信制御部２６と略同様である。なお、記憶部３２はハードディスクドライブやソリッドステートドライブ等から構成され、後述する処理をサーバ３に実行させるためのプログラムが格納される。また入力部３４はキーボード、マウスなどのポインティングデバイス、テンキーなどの入力装置を有する。
【００３２】
コンテンツ出力装置４は、店頭に設けられ、画像やテキスト等のコンテンツをプリントして出力するものである。
【００３３】
図４はコンテンツ出力装置４のハードウェア構成の例を示す図であり、図５はコンテンツ出力装置４の外観を示す図である。コンテンツ出力装置４は、制御装置４１、タッチパネル付ディスプレイ４２、課金部４３、メディア入出力部４４、プリンタ４５、通信制御部４６等を有する。
【００３４】
制御装置４１は、コンテンツ出力装置４の内部に設けられる。制御装置４１は、コンテンツ出力装置４の処理全般を制御するものであり、制御部、記憶部、通信制御部等を有するコンピュータによって実現される。
【００３５】
タッチパネル付ディスプレイ４２は、操作案内や操作状況、出力を行うコンテンツ等の表示を行うとともに、ユーザからの指示操作を受付ける。ユーザは、タッチパネル付ディスプレイ４２を介して、プリントを行なうコンテンツの選択、編集等を行う。
【００３６】
課金部４３は、硬貨投入口、紙幣挿入口、つり銭返却口、レシート取出口、レシートプリンタ等を備え、プリント物の注文内容に応じた課金やレシートの発行を管理する。
【００３７】
メディア入出力部４４は、記録媒体を挿入するための挿入口や記録媒体と通信を行うための通信ポート等を備え、記録媒体からのデータの読込、記録媒体へのデータの記録等を管理する。
【００３８】
プリンタ４５は、コンテンツ出力装置４の内部に設けられる。プリンタ４５は、画像等のコンテンツをプリントし、プリント物として出力する。プリントが行われたプリント物はプリント物取出口４７に排出される。プリンタ４５の方式や設置台数等は特に問わない。
【００３９】
通信制御部４６は、通信制御装置、通信ポート等を有し、コンテンツ出力装置４とサーバ３等とのネットワークを介した通信を媒介する通信インタフェースである。通信制御部４６は、コンテンツ出力装置４の内部に設けられる。
【００４０】
ユーザ端末５（第２の端末）はコンテンツの受け手のコンピュータ端末であり、例えばスマートフォン、タブレット端末、パーソナルコンピュータなどを用いることができる。ユーザ端末５のハードウェア構成は前記したユーザ端末２と同様なので説明を省略する。
【００４１】
（２．コンテンツ出力方法）
本実施形態のコンテンツ出力システム１におけるコンテンツ出力方法は、コンテンツの送り手がコンテンツの送信予約を行う段階と、コンテンツの受け手がコンテンツを出力する段階に大きく分けることができる。
【００４２】
（２−１．コンテンツの送信予約）
図６は、送り手によるコンテンツの送信予約に係る処理を示すフローチャートである。図６のＳ１１、１４、１５はユーザ端末２の制御部２１が実行する処理であり、Ｓ１２、１３はサーバ３の制御部３１が実行する処理である。Ｓ１６の処理はユーザ端末５の制御部が実行する。
【００４３】
本実施形態では、まず、コンテンツの送り手が、ユーザ端末２を操作してアプリケーションプログラムを起動し、ユーザ端末２からコンテンツ等（後述する画像１０１とテキスト、および画像１０１の枚数１０２）をサーバ３に送信する（Ｓ１１；ユーザ端末２の第１の送信手段）。
【００４４】
このように、本実施形態では、コンテンツの受け手がコンテンツ出力装置４でコンテンツを出力するに際しサーバ３からコンテンツ出力装置４にコンテンツを送信させるべく、予めサーバ３にコンテンツのアップロード（コンテンツの送信予約）をしておく。
【００４５】
図７（ａ）はコンテンツ等の送信を行うためにユーザ端末２の表示部２３に表示するコンテンツ送信画面の一例であり、この例では画像１０１、枚数１０２、増減ボタン１０３、送信ボタン１０４が表示される。
【００４６】
画像１０１は、ユーザが撮影あるいは作成した画像であり、ユーザ端末２の記憶部２２に格納された画像をサムネイル表示したものである。
【００４７】
枚数１０２は、受け手が画像１０１を出力可能な枚数を表示したものである。
【００４８】
増減ボタン１０３は、上記の枚数１０２を増減するためのボタンである。
【００４９】
送信ボタン１０４は、画像１０１とテキスト、画像１０１の枚数１０２の送信を行うためのボタンである。
【００５０】
Ｓ１１において、送り手は、図７（ａ）に示すコンテンツ送信画面上で、送信を行う画像１０１（枚数１０２を１以上とする画像１０１）とその枚数１０２を決定する。また、ユーザ端末２の操作によりテキスト入力画面（不図示）に移行し、当該画面上でテキストの入力を行う。そして、図７（ａ）に示すコンテンツ送信画面の送信ボタン１０４を選択すると、枚数１０２を１以上とした画像１０１とテキスト、および画像１０１の枚数１０２がユーザ端末２からサーバ３へと送信される。
【００５１】
サーバ３は、ユーザ端末２からコンテンツ等を受信する（Ｓ１２）と、予約キーとパスワード（以下、予約キー等ということがある）を生成し、コンテンツ等と紐づけて記憶部３２に格納する。ここでは、データ管理のセキュリティ性を向上させるため、コンテンツ等を暗号化して格納するものとする。
【００５２】
サーバ３は、ユーザ端末２に予約キー等を送信する（Ｓ１３；サーバ３の第１の送信手段）。ユーザ端末２は予約キー等を受信する（Ｓ１４；ユーザ端末２の受信手段）。なお、サーバ３は上記の予約キーとパスワードから二次元コードも生成しており、Ｓ１３ではこの二次元コードもユーザ端末２に送信されるものとする。
【００５３】
図７（ｂ）は予約キー等を受信した際にユーザ端末２の表示部２３に表示する予約キー表示画面の一例であり、この例では「予約を受付けました」等のメッセージととともに、予約キー１１１、パスワード１１２、二次元コード１１３、送信ボタン１１４が表示される。
【００５４】
予約キー１１１は、受け手がコンテンツ出力装置４にてコンテンツを出力する際にコンテンツ出力装置４に入力するキー情報である。本実施形態では予約キー１１１が文字や数字による符号列とされており、最後の一桁にチェックディジットを付加することで、偽のキーと判別可能になっている。チェックディジットについては既知であるので説明を省略する。
【００５５】
パスワード１１２は、予約キー１１１と紐づくキー情報であり、同じく受け手がコンテンツ出力装置４にてコンテンツを出力する際に予約キー１１１と併せて入力される。
【００５６】
二次元コード１１３は、受け手がコンテンツ出力装置４にてコンテンツを出力する際に、予約キー１１１やパスワード１１２の代わりに入力できるキー情報であり、予約キー１１１やパスワード１１２に対応する情報を記録したものである。
【００５７】
送信ボタン１１４は、予約キー１１１、パスワード１１２、二次元コード１１３を含むメールを受け手のアドレスに送信するためのボタンである。
【００５８】
コンテンツを送る日時になると、送り手は、ユーザ端末２のアプリケーションプログラムを起動し、上記の予約キー表示画面を表示させ、送信ボタン１１４を選択する。
【００５９】
すると、ユーザ端末２は、受け手のアドレスに、予約キー１１１、パスワード１１２、二次元コード１１３を含むメールを送信する（Ｓ１５；ユーザ端末２の第２の送信手段）。なお、ユーザ端末２のアプリケーションプログラムで上記の日時を予め登録しておき、上記の日時が来たことをアラームや画面表示等によって送り手に知らせるようにしてもよいし、上記の日時が来ると自動的にメールを送信するようにしてもよい。
【００６０】
受け手は、ユーザ端末５で予約キー１１１、パスワード１１２、二次元コード１１３を含むメールを受信する（Ｓ１６；ユーザ端末５の受信手段）。このメールには、予約キー１１１、パスワード１１２、二次元コード１１３が表示される他、コンテンツ出力装置４の利用ガイドなども表示され、受け手がコンテンツ出力装置４を利用する際の助けとなる。
【００６１】
また、メールに前記のアプリケーションプログラムのダウンロードサイトへのリンクを表示することもでき、受け手はアプリケーションプログラムをダウンロードおよび起動してユーザ端末２に返信を行うことも可能である。これにより、メールが受信されたことを送り手が確認できる。さらに、メールの代わりにSNS(Social Networking Service)を利用して予約キー１１１、パスワード１１２、二次元コード１１３を送信することも可能である。
【００６２】
（２−２．コンテンツの出力）
図８は、受け手によるコンテンツの出力に係る処理を示すフローチャートである。図８のＳ２１、２２、２６〜２９はコンテンツ出力装置４の制御装置４１が実行する処理であり、Ｓ２３〜Ｓ２５はサーバ３の制御部３１が実行する処理である。
【００６３】
受け手は、コンテンツの出力を行う際、コンテンツ出力装置４が設置されている店舗に向かい、コンテンツ出力装置４のタッチパネル付ディスプレイ４２に予約キー入力画面を表示させ、画面上で予約キー１１１とパスワード１１２（予約キー１１１等）を入力する。コンテンツ出力装置４は、予約キー１１１等の入力を受付ける（Ｓ２１）。
【００６４】
図９は予約キー入力画面の一例であり、この例では予約キー入力領域２０１、パスワード入力領域２０２、「戻る」ボタン２０３、「完了」ボタン２０４が表示される。
【００６５】
予約キー入力領域２０１とパスワード入力領域２０２は、それぞれ予約キー１１１とパスワード１１２を入力するための領域である。
【００６６】
「戻る」ボタン２０３は前画面に戻るためのボタンであり、「完了」ボタン２０４は予約キー１１１とパスワード１１２の入力内容を確定するためのボタンである。
【００６７】
Ｓ２１において、受け手は、図９に示す予約キー入力画面の予約キー入力領域２０１とパスワード入力領域２０２に予約キー１１１とパスワード１１２をそれぞれ入力する。これらの入力は画面上に表示されるソフトウェアキーボード（不図示）をタッチすることにより行ってもよいし、コンテンツ出力装置４に備えられた物理キー（不図示）によって行ってもよい。
【００６８】
受け手が予約キー１１１とパスワード１１２を入力した後、「完了」ボタン２０４を選択して入力内容を確定すると、コンテンツ出力装置４は予約キー１１１等をサーバ３へと送信する（Ｓ２２）。なお、予約キー１１１とパスワード１１２の入力に代えて、二次元コード１１３をコンテンツ出力装置４の読取装置（不図示）に読取らせることも可能である。
【００６９】
本実施形態では、サーバ３が予約キー１１１等を受信する（Ｓ２３）と、これらを用いた認証処理（Ｓ２４）を行った後、予約キー１１１に対応するコンテンツ等（画像１０１とテキスト、画像１０１の枚数１０２）をコンテンツ出力装置４に送信する（Ｓ２５；サーバ３の第２の送信手段）。
【００７０】
上記のコンテンツ等は暗号化された状態でサーバ３からコンテンツ出力装置４に送信されるので、通信のセキュリティ性が向上する。なお、Ｓ２４の認証処理は、例えばコンテンツ出力装置４から送信された予約キー１１１とパスワード１１２の組合せが、サーバ３の記憶部３２に格納された予約キー１１１とパスワード１１２の組合せに一致するかどうかによって行うことができる。ただし、認証処理の方法はこれに限らない。
【００７１】
コンテンツ出力装置４は、コンテンツ等をサーバ３から受信する（Ｓ２６；コンテンツ出力装置４の受信手段）と、これを復号した後、タッチパネル付ディスプレイ４２に編集画面や注文画面を表示させ、受け手はこれらの画面上でコンテンツの編集とプリント指示を行うことができる。コンテンツ出力装置４は、受け手により行われたコンテンツの編集とプリント指示を受付ける（Ｓ２７；コンテンツ出力装置４の受付手段）。
【００７２】
図１０（ａ）は注文画面の一例であり、この例では画像１０１、１０１ａ、枚数２１２、増減ボタン２１３、「戻る」ボタン２１４、「確定」ボタン２１５が表示される。
【００７３】
画像１０１は、Ｓ２６で受信した画像１０１をサムネイル表示したものである。画像１０１ａは、編集が行われた後の画像１０１をサムネイル表示したものである。
【００７４】
枚数２１２は、受け手が画像１０１、１０１ａを出力する枚数を表示したものであり、増減ボタン２１３は枚数２１２を増減するためのボタンである。
【００７５】
「戻る」ボタン２１４は前画面に戻るためのボタンであり、「確定」ボタン２１５は注文内容（出力する画像１０１、１０１ａとその枚数２１２）を確定しプリント指示を行うためのボタンである。
【００７６】
また本実施形態では、注文画面の画像１０１の領域をタッチするなどして画像１０１を選択すると、当該画像１０１の編集を行う編集画面に移行するようになっており、受け手は、編集画面において画像１０１とテキストを様々なレイアウトで合成することができる。
【００７７】
図１０（ｂ）は編集画面の一例であり、この例では、編集画面にレイアウトパターン２２１、「戻る」ボタン２２２、「完了」ボタン２２３が表示される。
【００７８】
レイアウトパターン２２１は、選択された画像１０１と、Ｓ２６で受信したテキスト１０５を様々なレイアウトで組み合わせたものであり、複数のレイアウトパターン２２１の中からどのレイアウトにするかが選択できるようになっている。図の例では、画像１０１と横書きのテキスト１０５を上下に並べたパターン、画像１０１と縦書きのテキスト１０５を左右に並べたパターンが表示されているが、これらに限ることはない。また、前記したコンテンツの送信予約時に複数のテキスト１０５を入力しておくことで、編集画面においてどのテキスト１０５を使用するか画像１０１ごとに選択することも可能である。
【００７９】
「戻る」ボタン２２２は編集を中止して注文画面に戻るためのボタンであり、「完了」ボタン２２３は編集を完了して注文画面に戻るためのボタンである。
【００８０】
Ｓ２７において、受け手は例えば図１０（ａ）に示す注文画面で編集する画像１０１を選択し、図１０（ｂ）に示す編集画面で当該画像１０１とテキスト１０５を組合わせたレイアウトの選択を行って、「完了」ボタン２２３の選択により注文画面に戻る。
【００８１】
コンテンツ出力装置４は、選択したレイアウトによって画像１０１とテキスト１０５を合成して新たな画像１０１ａを作成し、図１０（ａ）に示すように注文画面に編集後の画像１０１ａとして表示することができ、受け手はその枚数２１２も増減ボタン２１３で増減できる。なお、本実施形態において、画像１０１とその編集後の画像１０１ａの枚数２１２は、その合計がＳ２６で受信した当該画像１０１の枚数１０２を超えない範囲で設定できるものとする。
【００８２】
受け手が注文画面の「確定」ボタン２１５を選択すると、１以上の枚数２１２が設定された各画像１０１、１０１ａを、その枚数分プリントすることが確定し、受け手はその注文内容に応じた料金を課金部４３で課金する。コンテンツ出力装置４は課金を受付ける（Ｓ２８）と、注文内容に応じてプリントを行うことでコンテンツを出力する（Ｓ２９；コンテンツ出力装置４の出力手段）。
【００８３】
以上説明したように、本実施形態によれば、コンテンツの送り手は、コンテンツの受け手がコンテンツ出力装置４でコンテンツを出力するに際しサーバ３からコンテンツ出力装置４にコンテンツを送信させるべく、予めサーバ３にコンテンツのアップロード（コンテンツの送信予約）をしておく。サーバ３はコンテンツの送信予約がされるとコンテンツに対応する予約キー１１１等を生成する。この予約キー１１１等は受け手のユーザ端末５において適当なタイミングで受信され、コンテンツ出力装置４でコンテンツを出力する際に入力される。これにより、本実施形態では、送り手から受け手にコンテンツを送り、これを受け手側で出力してもらう好適な仕組みを提供できる。
【００８４】
例えば住所が分からない相手や、出張中などにより自宅で郵便物を受け取れない相手に対しても、コンテンツに対応する予約キー１１１等を送ることで、受け手がコンテンツ出力装置４にてコンテンツをプリントして受取ることが可能になり、画像とテキストを紐付けて形に残すことができる。また郵送を行う場合よりも安価にコンテンツのやりとりを行うことができる。
【００８５】
また、本実施形態ではコンテンツの送信予約に応じて送り手のユーザ端末２に予約キー１１１等を送信し、適当なタイミングで送り手のユーザ端末２から受け手のユーザ端末５へと予約キー１１１等を送信することができる。また、コンテンツ出力装置４では、受け手が画像１０１やテキスト１０５などのコンテンツを編集した形で出力できる。
【００８６】
しかしながら、本発明はこれに限らない。例えば本実施形態ではユーザ端末２からユーザ端末５へとメール等で予約キー１１１、パスワード１１２、二次元コード１１３を送信しているが、前記のＳ１１において受け手のアドレスをユーザ端末２からサーバ３に送信しておくことで、サーバ３から予約キー１１１、パスワード１１２、二次元コード１１３の送信を行うことも可能である。
【００８７】
また、本実施形態では受け手がコンテンツ出力装置４で課金を行うことでコンテンツのプリントを行うが、送り手がコンテンツの送信予約をする際に料金を支払っておくことも可能である。この場合は、前記のＳ１１で決済に必要な情報をユーザ端末２に入力して決済サーバ（不図示）に送信し、決済サーバは決済が完了した旨をサーバ３に送信する。サーバ３側では予約キー１１１等やコンテンツ等と紐付けて決済が完了した旨を示す情報を記録しておき、コンテンツの出力を行う際に、前記のＳ２５で決済が完了している旨の情報をサーバ３からコンテンツ出力装置４に送信することで、コンテンツ出力装置４における課金処理（Ｓ２８）を省略することが可能である。
【００８８】
また、コンテンツ出力装置４は、複数の送り手のコンテンツ送信予約に係る予約キー１１１のそれぞれに対して、対応するコンテンツを出力できる。しかしながら、年賀状などでは、一人の受け手が、多数の送り手のコンテンツに係る多数の予約キー１１１やパスワード１１２を同じタイミング（例えば元日）で受信するようなケースが考えられ、個々の予約キー１１１等をコンテンツ出力装置４に入力するのが面倒になる恐れがある。
【００８９】
そこで、本実施形態では、このようなケースにおいて受け手のユーザ端末５でアプリケーションプログラムを起動してこれらの予約キー１１１、パスワード１１２を所定の演算式等を用いて統合し、新たな予約キー１１１、パスワード１１２を作成することができる（ユーザ端末５の作成手段）。
【００９０】
この予約キー１１１等をコンテンツ出力装置４に入力して前記のＳ２２でサーバ３に送信することで、個々の予約キー１１１等をコンテンツ出力装置４に入力する必要を無くすことができる。サーバ３側では、統合後の予約キー１１１等を例えば上記の演算式等を利用して個々の（元の）予約キー１１１等に分解し、前記のＳ２５において各予約キー１１１に対応するコンテンツ等をコンテンツ出力装置４に送ることができる。
【００９１】
また、送り手が送信予約することが可能な画像１０１の枚数１０２、サイズをサーバ３側で設定することも可能であり、設定枚数以上の画像は送信予約できないようにしたり、サイズの大きな画像１０１は設定サイズ以下に縮小して記憶部３２に格納することも可能である。
【００９２】
さらに、受け手がプリントを行った場合、その旨をコンテンツ出力装置４からサーバ３に送信し、サーバ３が送り手に通知することも可能であり、送り手はユーザ端末２で当該通知を受信することで受け手がプリントしたことを知ることができる。この通知はコンテンツ出力装置４から直接行うことも可能である。
【００９３】
加えて、受け手はコンテンツ出力装置４でコンテンツのプリントを行う際に、コンテンツ出力装置４のメディア入出力部４４等を利用してコンテンツを自身の所持する記録媒体に記録して持ち帰ることもでき、この際自身がコンテンツ出力装置４に入力したテキストあるいは記録媒体に記録された画像や音声データ等の情報を追加することも可能である。
【００９４】
以下、本発明の別の例について第２の実施形態として説明する。第２の実施形態は第１の実施形態と異なる点について説明し、同様の点については同じ符号を付すなどして説明を省略する。
【００９５】
［第２の実施形態］
（１．コンテンツ出力システム１ａ）
図１１は本発明の第２の実施形態に係るコンテンツ出力システム１ａを示す図である。図１１に示すように、本実施形態のコンテンツ出力システム１ａは、ユーザ端末２、５、サーバ３、およびコンテンツ出力装置７等がネットワーク６を介して通信可能に接続された構成を有する。
【００９６】
本実施形態において、コンテンツ出力装置７はコンテンツを映像や音として再生し、出力するものである。コンテンツ出力装置７は結婚式等のイベント会場に設置され、コンテンツ再生用のモニター８が接続される。モニター８は、音声データを再生するためのスピーカー等（不図示）も備えている。
【００９７】
図１２はコンテンツ出力装置７のハードウェア構成の例を示す図である。図１２に示すように、コンテンツ出力装置７は、例えば制御部７１、記憶部７２、表示部７３、入力部７４、通信制御部７５等をバス等により接続して構成したコンピュータにより実現できる。但しこれに限ることなく、適宜様々な構成をとることができる。
【００９８】
制御部７１、記憶部７２、表示部７３、入力部７４、通信制御部７５は前記した制御部３１、記憶部３２、表示部３３、入力部３４、通信制御部３５と略同様である。
【００９９】
（２．コンテンツ出力方法）
本実施形態のコンテンツ出力システム１ａにおけるコンテンツ出力方法も、第１の実施形態と同様、コンテンツの送り手がコンテンツの送信予約を行う段階と、コンテンツの受け手がコンテンツを出力する段階に大きく分けることができる。コンテンツの受け手は、例えばイベント会場におけるイベント主催者などである。
【０１００】
（２−１．コンテンツの送信予約）
送り手がコンテンツの送信予約を行う手順は、第１の実施形態と略同様である。ただし、本実施形態ではコンテンツとして画像やテキストの他、音声データ、音声を含む動画データなどもコンテンツとしてユーザ端末２からサーバ３に送信することができ、前記のような画像１０１の枚数設定は省略される。また本実施形態では、送り手がコンテンツの送信予約をする際に、必要な料金を前記した手順で支払っておくものとする。ただし、第１の実施形態と同様、受け手側で課金を行った後コンテンツを再生することは可能である。
【０１０１】
（２−２．コンテンツの出力）
本実施形態ではコンテンツ出力装置７でコンテンツのプリントでなくコンテンツの再生を行うが、それ以外の点についてはコンテンツの出力を行う手順も第１の実施形態と略同様であり、コンテンツ出力装置７が図１３のように画像１０１やテキスト１０５、音声データをモニター８で再生することで、これらのコンテンツの出力を行う（コンテンツ出力装置７の出力手段）。
【０１０２】
これにより、イベント参加者等は画像１０１とテキスト１０５によるメッセージが紐付いた状態でモニター８にてコンテンツを楽しむことができる。画像１０１やテキスト１０５を別途設けたプリンタ（不図示）でプリントしたり、画像１０１、テキスト１０５、音声データを記録媒体に記録したりすることもでき、これらのコンテンツを紐付けて形に残しておくことが可能である。
【０１０３】
なお、本実施形態では前記のようなコンテンツの編集作業は省略され、予め定めた図１３に示すような所定のレイアウトでコンテンツが出力されるようになっている。ただし、コンテンツ出力装置７においてコンテンツのレイアウト等を選択し、コンテンツの編集を行うことは可能である。
【０１０４】
また、図１３の例ではコンテンツとして送信予約された複数の画像１０１がスライドショー形式で順次表示されるようになっており、図中「次へ」ボタン３０１を選択することで次の画像１０１を表示させることができる。
【０１０５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０６】
１、１ａ：コンテンツ出力システム
２、５：ユーザ端末
３：サーバ
４、７：コンテンツ出力装置
６：ネットワーク
８：モニター
１０１、１０１ａ：画像
１０５：テキスト
１１１：予約キー
１１２：パスワード
１１３：二次元コード
【図１】
2019012487.tif 000003
【図２】
2019012487.tif 000004
【図３】
2019012487.tif 000005
【図４】
2019012487.tif 000006
【図５】
2019012487.tif 000007
【図６】
2019012487.tif 000008
【図７】
2019012487.tif 000009
【図８】
2019012487.tif 000010
【図９】
2019012487.tif 000011
【図１０】
2019012487.tif 000012
【図１１】
2019012487.tif 000013
【図１２】
2019012487.tif 000014
【図１３】
2019012487.tif 000015